【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
移動通信ネットワークへ接続可能な移動通信部と、前記移動通信部により接続された移動通信ネットワークに基づき無線ネットワーク接続サービスを提供する無線ネットワーク接続部とを含む移動体に配置可能な無線通信装置であって、衛星測位システムに基づき前記移動体に配置可能な前記無線通信装置の位置情報を取得するために用いられる衛星測位部と、前記衛星測位部が取得した位置情報に基づいて、前記無線ネットワーク接続サービスの接続状態を制御する制御部とを備え、
前記制御部は、前記衛星測位部が取得した複数の位置情報と、関連する複数の時刻情報と、に基づき計算された前記無線通信装置の平均移動速度が、基準平均移動速度の範囲外であるときに成立する第１条件の成立を含む特定条件が成立しているとき、前記無線通信装置が前記移動体外に持ち出されて使用されていると判定することを特徴とする無線通信装置。
【請求項２】
前記制御部は、前記無線通信装置が前記移動体外に持ち出されて使用されているか否かの判定結果に基づき、前記無線ネットワーク接続サービスの接続状態を制御することを特徴とする請求項１に記載の無線通信装置。
【請求項３】
前記制御部は、前記無線通信装置が前記移動体外に持ち出されて使用されていると判定された場合は、前記移動体外に持ち出されて使用されていると判定されなかった場合と比較して、前記無線ネットワーク接続サービスの接続状態を低下させることを特徴とする請求項１に記載の無線通信装置。
【請求項４】
前記移動通信ネットワークへの接続状態を低下させることで、前記無線ネットワーク接続サービスの接続状態を低下させることを特徴とする請求項３に記載の無線通信装置。
【請求項５】
前記移動通信ネットワークの通信速度を遅くする、もしくは、前記移動通信ネットワークへの接続を停止することで、前記移動通信ネットワークへの接続状態を低下させることを特徴とする請求項４に記載の無線通信装置。
【請求項６】
前記無線ネットワーク接続部が発する電波信号強度を低下させる、もしくは電波信号の発信を停止することで、前記無線ネットワーク接続サービスの接続状態を低下させることを特徴とする請求項３に記載の無線通信装置。
【請求項７】
前記第１条件の成立に加えて以下の条件の少なくとも一つを満足した場合、前記特定条件が成立することを特徴とする請求項１に記載の無線通信装置；
条件a)  前記衛星測位部が取得した複数の位置情報と、関連する複数の時刻情報とに基づき計算された前記無線通信装置の、一定周期における移動距離が、基準移動距離の範囲外であるとき；
条件b）  前記第１条件が成立している状態が、連続して所定時間以上であるとき；
条件c)  前記無線通信装置の外部電力が切断されたときに、前記衛星測位部が取得した最後の位置情報と、次回前記無線通信装置の外部電力が通電されたときに、前記衛星測位部が取得した位置情報に基づき計算された、両者の距離が基準距離の範囲外であるとき；
条件d)  前記衛星測位部が位置情報を獲得するのに失敗した回数が、基準回数の範囲外であるとき；
条件e)  前記衛星測位部が位置情報を獲得するのに失敗した頻度が、基準頻度の範囲外であるとき；
条件f)  前記衛星測位部が取得したときの位置情報が、車両が走行することが出来ない区域であるとき。
【請求項８】
前記無線通信装置は、前記移動通信部を通じて遠隔制御センターに前記衛星測位部が取得した前記無線通信装置の位置情報を送信しており、前記遠隔制御センターは、前記無線通信装置から送信された前記無線通信装置の前記位置情報を受信する受信部と、前記受信部が受信した前記無線通信装置の前記位置情報に基づき前記特定条件が成立しているか否かを判定するセンター側判定部と、前記センター側判定部による前記特定条件が成立しているか否かの判定結果に応じた信号を前記無線通信装置に送信する送信部とを備え、前記制御部は、前記遠隔制御センターから送信された前記判定結果に応じた信号に基づいて前記無線ネットワーク接続サービスの接続状態を制御することを特徴とする請求項１に記載の無線通信装置。
【請求項９】
前記無線通信装置内に配置されて前記衛星測位部が取得した位置情報と取得した時点の時刻情報とを記憶する無線通信装置側記憶部と、前記無線通信装置内に配置されて前記無線通信装置側記憶部に記憶された前記位置情報と前記時刻情報とに基づいて前記特定条件が成立しているか否かを判定する無線通信装置側判定部と、を備え、前記制御部は、前記無線通信装置側判定部による前記特定条件が成立しているか否かの判定結果に基づいて前記無線ネットワーク接続サービスの接続状態を制御することを特徴とする請求項１に記載の無線通信装置。
【請求項１０】
移動通信ネットワークへ接続可能な移動通信部と、前記移動通信部により接続された移動通信ネットワークに基づき無線ネットワーク接続サービスを提供する無線ネットワーク接続部とを含む移動体に配置可能な無線通信装置であって、衛星測位システムに基づき、前記無線通信装置の位置情報を取得するために用いられる衛星測位部と、前記衛星測位部が取得した位置情報に基づいて判定された前記無線通信装置が前記移動体外に持ち出されて使用されているか否かの判定結果に応じた情報をユーザーに提供する情報提供部とを備え、
前記情報提供部は、前記衛星測位部が取得した複数の位置情報と、関連する複数の時刻情報と、に基づき計算された前記無線通信装置の平均移動速度が、基準平均移動速度の範囲外であるとき、前記無線通信装置が前記移動体外に持ち出されて使用されていると判定することを特徴とする無線通信装置。
【請求項１１】
移動体に配置可能な無線通信装置と通信可能な遠隔制御センターであって、前記無線通信装置から送信された前記無線通信装置の位置情報を受信する受信部と、前記受信部が受信した前記無線通信装置の前記位置情報に基づき前記無線通信装置が前記移動体外で使用されているか否かを判定するセンター側判定部と、前記センター側判定部による前記無線通信装置が前記移動体外で使用されているか否かの判定結果に応じた信号を前記無線通信装置に送信する送信部とを備え、
前記センター側判定部は、前記無線通信装置の複数の位置情報と、関連する複数の時刻情報と、に基づき計算された前記無線通信装置の平均移動速度が、基準平均移動速度の範囲外であるとき、前記無線通信装置が前記移動体外に持ち出されて使用されていると判定することを特徴とする遠隔制御センター。
【請求項１２】
移動通信ネットワークへ接続可能な移動通信部と、前記移動通信部により接続された移動通信ネットワークに基づき無線ネットワーク接続サービスを提供する無線ネットワーク接続部とを含む移動体に配置可能な無線通信装置の監視制御システムであって、衛星測位システムに基づき前記無線通信装置の位置情報を取得するために用いられる衛星測位部と、前記衛星測位部が取得した位置情報に基づいて前記無線通信装置が前記移動体外に持ち出されて使用されているか否かを判定する判定部と、を備え、
前記判定部は、前記衛星測位部が取得した複数の位置情報と、関連する複数の時刻情報と、に基づき計算された前記無線通信装置の平均移動速度が、基準平均移動速度の範囲外であるときに成立する特定条件が成立しているとき、前記無線通信装置が前記移動体外に持ち出されて使用されていると判定することを特徴とする無線通信装置の監視制御システム。
【請求項１３】
前記判定部による、前記無線通信装置が前記移動体外に持ち出されて使用されているか否かの判定結果に基づき前記無線ネットワーク接続サービスの接続状態を制御する制御部をさらに備えることを特徴とする請求項１２に記載の無線通信装置の監視制御システム。
【請求項１４】
前記無線通信装置は、前記移動通信部を通じて遠隔制御センターに前記衛星測位部が取得した前記無線通信装置の位置情報を送信しており、前記遠隔制御センターは、前記無線通信装置から送信された前記無線通信装置の前記位置情報を受信する受信部と、前記受信部が受信した前記無線通信装置の前記位置情報に基づき前記特定条件が成立しているか否かを判定するセンター側判定部と、前記センター側判定部による前記特定条件が成立しているか否かの判定結果に応じた信号を前記無線通信装置に送信する送信部と、を備えることを特徴とする請求項１２に記載の無線通信装置の監視制御システム。
【請求項１５】
前記無線通信装置は、前記衛星測位部が取得した位置情報と取得した時点の時刻情報とを記憶する無線通信装置側記憶部と、前記無線通信装置側記憶部に記憶された前記位置情報と前記時刻情報とに基づいて、前記特定条件が成立しているか否かを判定する無線通信装置側判定部と、を備えることを特徴とする請求項１２に記載の無線通信装置の監視制御システム。
【請求項１６】
前記判定部による前記無線通信装置が前記移動体外に持ち出されて使用されているか否かの判定結果に応じた情報をユーザーに提供する情報提供部をさらに備えることを特徴とする請求項１２に記載の無線通信装置の監視制御システム。
【請求項１７】
移動体に配置可能な無線通信装置の監視制御方法であって、前記無線通信装置の位置情報を取得する位置情報取得ステップと、取得された位置情報に基づいて前記無線通信装置が前記移動体外で使用されているか否かを判定する判定ステップと、を備え、
前記判定ステップは、前記位置情報取得ステップによって取得された複数の位置情報と、関連する複数の時刻情報と、に基づき計算された前記無線通信装置の平均移動速度が、基準平均移動速度の範囲外であるときに成立する特定条件が成立しているとき、前記無線通信装置が前記移動体外に持ち出されて使用されていると判定することを特徴とする無線通信装置の監視制御方法。
【請求項１８】
前記判定ステップによる前記無線通信装置が前記移動体外に持ち出されて使用されているか否かの判定結果に基づき、前記無線通信装置により提供される無線ネットワーク接続サービスの接続状態を制御する制御ステップをさらに備えることを特徴とする請求項１７に記載の無線通信装置の監視制御方法。
【請求項１９】
前記位置情報取得ステップは、前記無線通信装置から遠隔制御センターに前記位置情報取得ステップで取得された前記無線通信装置の前記位置情報を送信する位置情報送信ステップを含み、前記判定ステップは、前記遠隔制御センターが前記位置情報送信ステップで前記無線通信装置から送信された前記無線通信装置の前記位置情報を受信する受信ステップと、前記遠隔制御センターが前記受信ステップで受信した前記無線通信装置の前記位置情報に基づき前記特定条件が成立しているか否かを判定するセンター側判定ステップと、前記センター側判定ステップによる前記特定条件が成立しているか否かの判定結果に応じた信号を前記遠隔制御センターから前記無線通信装置に送信する判定結果送信ステップとを含むことを特徴とする請求項１７に記載の無線通信装置の監視制御方法。
【請求項２０】
前記判定ステップは、前記位置情報取得ステップが取得した前記無線通信装置の前記位置情報と取得した時点の時刻情報とに基づいて前記無線通信装置が前記移動体外で使用されているか否かを判定する無線通信装置側判定ステップであることを特徴とする請求項１７に記載の無線通信装置の監視制御方法。
【請求項２１】
前記判定ステップによる前記無線通信装置が前記移動体外に持ち出されて使用されているか否かの判定結果に応じた情報をユーザーに提供する情報提供ステップをさらに備えることを特徴とする請求項１７に記載の無線通信装置の監視制御方法。